(57)【要約】【課題】  本発明が解決しようとする課題は、架台に付着した液体が意図しない箇所へ流動することを抑制し得る医用診断装置および医用診断装置用架台被覆カバーを提供することである。【解決手段】  上記課題を解決するために、実施形態の医用診断装置は、架台の壁部に設けられ、撥水性を有する撥水部と、前記撥水部の端部周辺に設けられ、前記撥水部に付着し流動する液体の流動を抑制する流動抑制手段と、を備える。また、上記課題を解決するために、実施形態の医用診断装置用架台被覆カバーは、撥水性を有する撥水部と、前記撥水部の端部周辺に設けられ、吸水性を有する吸収体と、を備える。【選択図】図４
2014183940.tif 000002
【特許請求の範囲】
【請求項１】
架台の壁部に設けられ、撥水性を有する撥水部と、
前記撥水部の端部周辺に設けられ、前記撥水部に付着し流動する液体の流動を抑制する流動抑制手段と、
備えた医用診断装置。
【請求項２】
前記架台は、架台上部と架台下部を備え、
前記架台下部は、前記架台上部を傾斜可能に支持し、
前記架台上部は、前記架台下部に対する境界周辺を含む所定部位に前記撥水部を備え、前記境界周辺に前記流動抑制手段を備える請求項１に記載の医用診断装置。
【請求項３】
前記流動抑制手段は、前記撥水部に付着し流動する液体を吸収する吸収体を備える請求項１又は２に記載の医用診断装置。
【請求項４】
前記流動抑制手段は、溝を備える請求項１乃至３のうちいずれか一つに記載の医用診断装置。
【請求項５】
前記溝に溜まった液体を輸送し蓄積させる輸送／蓄積手段を備えた請求項４に記載の医用診断装置。
【請求項６】
前記架台は、寝台に載置された患者を出し入れする開口部を形成する内壁部を備え、
前記内壁部は、前記患者を出し入れする方向に勾配を有する請求項１乃至５のうちいずれか一つに記載の医用診断装置。
【請求項７】
前記医用診断装置はＸ線ＣＴ装置である請求項１乃至６のうちいずれか一つに記載の医用診断装置。
【請求項８】
撥水性を有する撥水部と、
前記撥水部の端部周辺に設けられ、吸水性を有する吸収体と、
を備えた医用診断装置用架台被覆カバー。
【請求項９】
前記撥水部は、架台が備える内壁部の所定部位を覆う領域を備える請求項８に記載の医用診断装置用架台被覆カバー。
【請求項１０】
前記撥水部は、前記架台が備える勾配部の所定部位を覆う領域を備える請求項８又は９に記載の医用診断装置用台被覆カバー。
【請求項１１】
前記撥水部は、前記架台が備える外壁部の所定部位を覆う領域を備える請求項８乃至１０のうちいずれか一つに記載の医用診断装置用架台被覆カバー。
【請求項１２】
前記撥水部は、前記内壁部の所定部位を覆う領域の厚みに勾配がある請求項９に記載の医用診断装置用架台被覆カバー。
【請求項１３】
前記医用診断装置用架台被覆カバーは、Ｘ線ＣＴ装置用の架台被覆カバーである請求項８乃至１２のうちいずれか一つに記載の医用診断装置用架台被覆カバー。
【発明の詳細な説明】
【技術分野】
【０００１】
本発明の実施形態は、医用診断装置および医用診断装置用架台被覆カバーに関する。
【背景技術】
【０００２】
Ｘ線ＣＴ装置などの医用診断装置によって生成された医用画像を参照し、外科的あるいは内科的な手技を行う手技体系がある。この手技体系では、例えばＸ線ＣＴ装置の架台に設けられた開口部の手前あるいは内部に寝台に載置された患者を移動させた状態で当該手技を行う。この際、例えば患者の血液や患者に注入するための造影剤が架台を伝って架台の内部や床に流れ落ちることがある。
【先行技術文献】
【特許文献】
【０００３】
【特許文献１】特開２００１−２８６４６０号公報
【発明の概要】
【発明が解決しようとする課題】
【０００４】
本発明が解決しようとする課題は、架台に付着した液体が意図しない箇所へ流動することを抑制し得る医用診断装置および医用診断装置用架台被覆カバーを提供することである。
【課題を解決するための手段】
【０００５】
上記課題を解決するために、実施形態の医用診断装置は、架台の壁部に設けられ、撥水性を有する撥水部と、前記撥水部の端部周辺に設けられ、前記撥水部に付着し流動する液体の流動を抑制する流動抑制手段と、を備える。また、上記課題を解決するために、実施形態の医用診断装置用架台被覆カバーは、撥水性を有する撥水部と、前記撥水部の端部周辺に設けられ、吸水性を有する吸収体と、を備える。
【図面の簡単な説明】
【０００６】
【図１】第１の実施形態における架台の斜視図。
【図２】第１の実施形態における架台の正面図。
【図３】第１の実施形態における架台の断面図。
【図４】第１の実施形態における流動抑制手段の断面図。
【図５】第１の実施形態の変形例における流動抑制手段の断面図。
【図６】第１の実施形態の変形例における架台の断面図。
【図７】第１の実施形態の変形例における架台の正面図。
【図８】第２の実施形態における架台と架台被覆カバーの斜視図。
【図９】第２の実施形態における架台と架台被覆カバーの正面図。
【図１０】第２の実施形態における架台と架台被覆カバーの断面図。
【図１１】第２の実施形態における架台と架台被覆カバーの断面図２。
【図１２】第２の実施形態の変形例における架台と架台被覆カバーの断面図。
【図１３】第２の実施形態の変形例における架台と架台被覆カバーの断面図２。
【図１４】第２の実施形態の変形例における架台と架台被覆カバーの正面図。
【発明を実施するための形態】
【０００７】
以下、本発明の実施形態について図面を参照しながら説明する。
【０００８】
（第１の実施形態）
本実施形態は、医用診断装置に係る実施形態であり、例として医用診断装置がＸ線ＣＴ装置である場合について説明する。
【０００９】
図１は、本実施形態における架台１００の斜視図である。図１に示すように本実施形態における架台１００は、架台上部１と架台下部２を備える。
【００１０】
架台上部１は、壁部として、外壁部正面３、第１勾配部４、内壁部５、第２勾配部６、外壁部背面７、外壁部側面８、を備える。また、架台上部１は、操作部９、流動抑制手段１０を備える。本実施形態において、外壁部正面３、第１勾配部４、内壁部５、第２勾配部６、外壁部背面７は、例えば撥水スプレーの塗布やラミネート加工などで撥水性が高くなるように表面処理されており、血液や造影剤などの液体を弾く。第１勾配部４、内壁部５、第２勾配部６に囲まれた領域は開口部２００であり、図示しない寝台に載置された患者を開口部２００に出し入れする。なお、本実施形態において、当該寝台は外壁部正面３の側に設置されているとする。本実施形態において、鉛直方向に伸びる軸をＸ軸、水平方向且つ患者を開口部１００に出し入れする方向に伸びる軸をＺ軸、Ｘ軸とＺ軸に対して垂直に伸びる軸をＹ軸と定義する。
【００１１】
架台上部１は、図示しないＸ線照射部と図示しないＸ線検出部を対向するように内部で支持する。架台上部１は、図示しないコンソールを介したオペレータからの指示に従って、Ｘ線照射部とＸ線検出部を対向させたままＺ軸に対して平行な軸を中心に回転させ、Ｘ線照射部にＸ線を照射させる。Ｘ線検出部は、Ｘ線照射部から照射され開口部１００における内壁部５に囲まれた領域に位置する患者を透過したＸ線を検出し、検出したＸ線に基づく検出信号を生成する。当該検出信号は前述のコンソールが備える図示しない画像生成部に送信され、画像生成部は受信した検出信号に基づいて画像を生成する。なお、画像生成に係る詳細な説明は本実施形態と直接的に関係しないため割愛する。
【００１２】
図２と図３は、本実施形態における架台１００の正面図と断面図である。図３に示す断面は、図２における点線Ａを通りＸ−Ｚ平面に対して平行な面である。なお、図２における点線Ａは、架台１００を正面から見たときの開口部２００の中心Ｏを通り、Ｘ軸と平行な直線である。
【００１３】
架台下部２は、モータなどの図示しない架台上部傾斜機構を備えており、操作部９を介したオペレータの指示に従って、図３の矢印Ｂで示すように架台上部１を傾斜させる。
【００１４】
操作部９は、例えば上記の架台上部傾斜機構による架台上部１の傾斜角度を操作するためのボタンを備えており、オペレータの入力に基づいて架台上部１の傾斜角度を変化させる。
【００１５】
図３に示すように、本実施形態における第１勾配部４と第２勾配部６は水平面に対して勾配を有しており、第１勾配部４と第２勾配部６に付着した液体は架台下部２の方向へ流れ落ちる。また、図２に示すように、本実施形態における外壁部正面３と外壁部背面７は水平面に対して略垂直であり、外壁部正面３と外壁部背面７に付着した液体は、架台下部２の方向へ流れ落ちる。
【００１６】
図４は、本実施形態における流動抑制手段１０の周辺の断面図である。図４に示す断面は、図２における点線Ａを通りＸ−Ｚ平面に対して平行な面である。
【００１７】
本実施形態において、流動抑制手段１０は、例えば高分子ポリマーなどの吸収体１１と吸収体１１を埋め込むための溝１２を備え、外壁部正面３と外壁部背面７の下端に沿うように設けられている。これによって、例えば、第１勾配部４、第２勾配部６、外壁部正面３、外壁部背面７に付着し、架台下部２の方向へ流れ落ちた血液や造影剤といった液体を吸収体１１が吸収することが可能であり、架台下部２や床への液体の流動を抑制することができる。なお、吸収体１１は着脱可能であり、例えば手技単位で取り替える。また、例えば、第１勾配部４、第２勾配部６、外壁部正面３、外壁部背面７、内壁部５は高い撥水性を有しているため、容易に洗浄が可能である。以上によって、診断環境の清潔さを保つことができる。また、第１勾配部４、第２勾配部６、外壁部正面３、外壁部背面７、内壁部５が高い撥水性を有する場合、これらに付着した液体が滞留しないため、滞留した液体が一気に流れ落ちるといったことを防止できる。
【００１８】
図５は、本実施形態の変形例における外壁部正面３の側に設けられた流動抑制手段１０の周辺の断面図である。図５に示す断面はそれぞれ、図２における点線Ａを通りＸ−Ｚ平面に対して平行な面である。また、図５に示す流動抑制手段１０は、上記と同様に外壁部正面３の下端に沿うように設けられている。
【００１９】
図５（ａ）は、流動抑制手段１０が溝１２を備えず吸収体１１のみを備える場合における流動抑制手段１０の周辺の断面図である。これによって、例えば、第１勾配部４、外壁部正面３に付着し、架台下部２の方向へ流れ落ちた血液や造影剤といった液体を吸収することが可能であり、架台下部２や床への液体の流動を抑制することができる。また、図４に示す場合と比較し、吸収体１２を外壁部正面３に設けるだけで良いので溝１２が設けられていない架台に対しても適用が可能である。なお、吸収体１１は着脱可能であり、例えば手技単位で取り替える。これによって、診断環境の清潔さを保つことができる。
【００２０】
図５（ｂ）は、流動抑制手段１０が吸収体１１を備えず溝１２のみを備える場合における流動抑制手段１０の周辺の断面図である。これによって、例えば、第１勾配部４、外壁部正面３に付着し、架台下部２の方向へ流れ落ちた血液や造影剤といった液体を一時的に蓄積することが可能であり、架台下部２や床への液体の流動を抑制することができる。この場合、溝１２の断面は例えば図５（ｂ）に示すように、架台上部１が架台下部２に対して傾斜しても溝１２に溜まった液体がこぼれないような構造をしていることが好ましい。更に、溝１２に流入した液体が溜まりやすい部位、例えば溝１２の中でも最も低い部位の断面積を大きくすることで、溝１２に溜まった液体を溢れにくくしても良い。なお、溝１２に溜まった液体は、例えば手技後にふき取っても良く、ポンプなどの吸引機で吸い出して破棄しても良い。
【００２１】
あるいは、図５（ｃ）に示すように、溝１２がチューブ１３を介してタンク１４に接続されており、溝１２に流入した液体が溝１２に溜まらないような液体の輸送／蓄積手段を有していても良い。この場合チューブ１３は、溝１２に流入した液体が溜まりやすい部位、例えば溝１２の中でも最も低い部位に設けられていることが好ましい。これよって溝１２に多量の液体が溜まることが回避され、溝１２から液体が溢れ出ることを抑制できる。なお、図５（ｃ）ではタンク１４が架台下部２の内部にある場合を示したが、タンク１４は、架台１００の外側や架台上部１の内部にあっても良い。
【００２２】
また、上記の説明では、外壁部正面３の面に対して凹みをつけることで溝１２を形成させていたが、図５（ｄ）に示すように、外壁部正面３の面に対して突起部１５を設けることで溝１２を形成させても良い。これによって、例えば、第１勾配部４、外壁部正面３に付着し、架台下部２の方向へ流れ落ちた血液や造影剤といった液体を蓄積することが可能であり、架台下部２や床への液体の流動を抑制することができる。なお、図５（ｂ）、図５（ｃ）、図５（ｄ）に示すような溝１２には、図４に示すように吸収体１１が埋め込まれても良い。これによって、例えば、第１勾配部４、外壁部正面３に付着し、架台下部２の方向へ流れ落ちた血液や造影剤といった液体を吸収することが可能であり、架台下部２や床への液体の流動を抑制することができる。
【００２３】
図５を用いて説明した変形例では、流動抑制手段１０が外壁部正面３の下端に沿うように設けられている場合について説明したが、当然、外壁部背面７の下端に沿うように設けられていても良い。
【００２４】
図６は、本実施形態の変形例における架台上部１と架台下部２の断面図である。図６に示す断面は、図２における点線Ａを通りＸ−Ｚ平面に対して平行な面である。図６に示すようにこの変形例における内壁部５は、上記断面において水平面に対して勾配を有している。これによって、内壁部５に付着した液体は、架台下部２の方向へ絶えず誘導されることになる。また、上記によって内壁部５に液体が溜まることが無くなり、内壁部５に溜まった液体が一斉に架台下部２の方向へ流れ落ちることを防止することができる。なお、図６では、図６に示す断面における内壁部５の中央の高さが最も高い場合について説明したが、例えば第２勾配部６に近い内壁部５の部位の高さが最も高くなっていても良い。あるいは第１勾配部４に近い内壁部５の部位の高さが最も高くなっていても良い。これらの場合、内壁部５から第１勾配部４と第２勾配部６に流れる液体の量に差が出ることになるため、例えば前者の場合は、外壁部正面３の下端に沿うように設けられた流動抑制手段１０の流動範囲拡大抑制能力の方が、外壁部背面７の下端に沿うように設けられた流動抑制手段１０の流動範囲拡大抑制能力よりも高くすることが好ましい。また、後者の場合は外壁部背面７の下端に沿うように設けられた流動抑制手段１０の流動範囲拡大抑制能力の方が、外壁部正面３の下端に沿うように設けられた流動抑制手段１０の流動範囲拡大抑制能力よりも高くすることが好ましい。なお、上記流動範囲拡大抑制能力は、吸収体１１であれば、例えば大きさや単位体積あたりの吸収量であり、溝１２であれば例えば深さや断面積に相当する。
【００２５】
上記の説明では外壁部正面３、第１勾配部４、内壁部５、第２勾配部６、外壁部背面７の表面が撥水スプレーなどで加工されている場合について説明したが、外壁部正面３、第１勾配部４、内壁部５、第２勾配部６、外壁部背面７撥水性の高い部材で作られていてもよい。
【００２６】
上記の説明では、外壁部正面３、第１勾配部４、内壁部５、第２勾配部６、外壁部背面７の全ての表面が撥水性を有する場合について説明したが、外壁部正面３、第１勾配部４、内壁部５、第２勾配部６、外壁部背面７の全ての表面が撥水性を有している必要は必ずしも無く、例えば血液や造影剤といった液体が付着する可能性が高い部位が撥水性を有していれば良い。例えば、図７の架台１００の正面図に示すように、点線Ｃを通りＹ−Ｚ平面に対して平行な面より下側における外壁部正面３、第１勾配部４、内壁部５、第２勾配部６、外壁部背面７の部位が高い撥水性を有し、それ以外の部位は高い撥水性を有していなくとも良い。なお、図１０における点線Ｃは、架台を正面から見たときの開口部１００の中心Ｏを通り、Ｙ軸と平行な直線である。
【００２７】
上記の説明では、外壁部正面３および外壁部背面７の下端全てに沿って流動抑制手段１０を設ける場合について説明したが、部分的であっても良い。例えば、図７における点線Ｄを通りＸ−Ｚ平面に対して平行な面と点線Ｅを通りＸ−Ｚ平面に対して平行な面で挟まれる範囲における外壁部正面３および外壁部背面７の下端に沿って流動抑制手段１０を設ける。なお、点線Ｄと点線ＥはＸ軸に対して平行な直線であり、第１勾配部４と外壁部正面３の際におけるＹ軸方向の両端をそれぞれ通る直線である。
【００２８】
上記の説明では、架台が上部と下部に分かれている場合について説明したが、本実施形態では架台が上部と下部に分かれていない場合においても有効である。この場合、上記の実施形態における架台上部１は、架台に設けられた流動抑制手段１０の位置に対して上側の架台の部位に相当し、架台下部２は、架台に設けられた流動抑制手段１０の位置に対して下側の架台の部位に相当する。これによって、例えば、流動抑制手段１０の位置に対して上側の部位に付着した液体の流動は、流動抑制手段１０が設けられている位置で抑制される。
【００２９】
上記の説明では、本実施形態を架台上部１が第１勾配部４と第２勾配部６を備える架台に適用する場合について説明したが、例えば第１勾配部４と第２勾配部６を備えていない架台においても同様に適用できる。
【００３０】
上記の説明では、Ｘ線ＣＴ装置の架台について説明したが、架台が磁気共鳴イメージング装置や核医学診断装置の架台であっても良い。
【００３１】
以上、本発明の実施形態を説明したが、これらの実施形態は例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３２】
（第２の実施形態）
本実施形態は、医用診断装置用架台被覆カバーに係る実施形態であり、例としてＸ線ＣＴ装置用の架台被覆カバーである場合について説明する。
【００３３】
図８は、本実施形態における架台１００の架台被覆カバー１６の斜視図である。
【００３４】
図８に示すように本実施形態における架台１００は、架台上部１と架台下部２を備える。
【００３５】
架台上部１は、壁部として、外壁部正面３、第１勾配部４、内壁部５、第２勾配部６、外壁部背面７、外壁部側面８、を備える。また、架台上部１は、操作部９、流動抑制手段１０を備える。第１勾配部４、内壁部５、第２勾配部６に囲まれた領域は開口部２００であり、図示しない寝台に載置された患者を開口部２００に出し入れする。なお、本実施形態において、当該寝台は外壁部正面３の側に設置されているとする。本実施形態において、鉛直方向に伸びる軸をＸ軸、水平方向且つ患者を開口部１００に出し入れする方向に伸びる軸をＺ軸、Ｘ軸とＺ軸に対して垂直に伸びる軸をＹ軸と定義する。
【００３６】
架台上部１は、図示しないＸ線照射部と図示しないＸ線検出部を対向するように内部で支持する。架台上部１は、図示しないコンソールを介したオペレータからの指示に従って、Ｘ線照射部とＸ線検出部を対向させたままＺ軸に対して平行な軸を中心に回転させ、Ｘ線照射部にＸ線を照射させる。Ｘ線検出部は、Ｘ線照射部から照射され開口部１００における内壁部５に囲まれた領域に位置する患者を透過したＸ線を検出し、検出したＸ線に基づく検出信号を生成する。当該検出信号は前述のコンソールが備える図示しない画像生成部に送信され、画像生成部は受信した検出信号に基づいて画像を生成する。なお、画像生成に係る詳細な説明は本実施形態と直接的に関係しないため割愛する。
【００３７】
図９と図１０は、本実施形態における架台１００および架台被覆カバー１６の正面図と断面図である。図１０に示す断面は、図９における点線Ｇを通りＸ−Ｚ平面に対して平行な面である。なお、図９における点線Ｇは、架台１００を正面から見たときの開口部２００の中心Ｏを通り、Ｘ軸と平行な直線である。
【００３８】
架台下部２は、モータなどの図示しない架台上部傾斜機構を備えており、操作部９を介したオペレータの指示に従って、図１０の矢印Ｈで示すように架台上部１を傾斜させる。
【００３９】
操作部９は、例えば上記の架台上部傾斜機構による架台上部１の傾斜角度を操作するためのボタンを備えており、オペレータの入力に基づいて架台上部１の傾斜角度を変化させる。
【００４０】
本実施形態における架台被覆カバー１６は、例えば図９における点線Ｆを通りＹ−Ｚ平面に対して平行な面より下側における外壁部正面３、第１勾配部４、内壁部５、第２勾配部６、外壁部背面７を覆うように設けられる。
【００４１】
図１１は本実施形態における架台１００と架台被覆カバー１６の断面図である。この断面は、図９における点線Ｇを通りＸ−Ｚ平面に対して平行な面である。本実施形態における架台被覆カバー１６は、図１１に示すように例えば高分子ポリマーなどの吸収体１１と吸収体１１を埋め込むための溝１２を備える。また、架台被覆カバー１６の吸収体１１以外の部位は例えばビニールなどの高い撥水性を有する部材である。吸収体１１と溝１２は、例えば架台被覆カバー１６の外壁部正面３と外壁部背面７を覆う部分の下端に沿うように設けられる。
【００４２】
図１０と図１１に示すように、本実施形態における第１勾配部４と第２勾配部６は水平面に対して勾配を有しており、本実施形態における外壁部正面３と外壁部背面７は水平面に対して略垂直である。したがって、架台被覆カバー１６の外壁部正面３、第１勾配部４、第２勾配部６、外壁部背面７を覆う部分に付着した液体は、架台下部２の方向へ流れ落ちる。外壁部正面３、第１勾配部４、第２勾配部６、外壁部背面７を覆う架台被覆カバー１６に付着し流動した液体は、架台被覆カバー１６の外壁部正面３と外壁部背面７を覆う部分の下端に沿うように設けられた吸収体１１によって吸収される。これによって、外壁部正面３、第１勾配部４、第２勾配部６、外壁部背面７を覆う架台被覆カバー１６に付着した液体が架台下部２や床への液体の流動を抑制することができる。
【００４３】
図１２は、本実施形態の変形例における架台１００と架台被覆カバー１６の断面図である。この変形例において、架台被覆カバー１６は溝１２を備えず、外壁部正面３と外壁部背面７に対応する架台被覆カバー１６の下端に沿うように吸収体１１が設けられる。なお、この断面は、図９における点線Ｇを通りＸ−Ｚ平面に対して平行な面である。これによって、例えば、架台被覆カバー１６の第１勾配部４、第２勾配部６、外壁部正面３、外壁部背面７を覆う部分に付着し、架台下部２の方向へ流れ落ちた血液や造影剤といった液体を吸収体１１が吸収することが可能であり、架台下部２や床への液体の流動を抑制することができる。
【００４４】
上記の説明では、例えば、架台被覆カバー１６の第１勾配部４、第２勾配部６、外壁部正面３、外壁部背面７を覆う部分に液体が付着した場合について説明したが、例えば図１３に示す架台１００と架台被覆カバー１６の断面図のように架台被覆カバー１６の内壁部５を覆う部分が水平面に対して勾配を有していても良い。なお、図１３に示す断面は、図９における点線Ｇを通りＸ−Ｚ平面に対して平行な面である。これによって、架台被覆カバー１６の内壁部５を覆う部分に付着した液体を架台下部２の方向へ誘導することができる。また、架台被覆カバー１６の内壁部５を覆う部分に液体が溜まることが無くなり、架台被覆カバー１６の内壁部５を覆う部分が有する勾配によって、ここに溜まった液体が一斉に架台下部２の方向へ流れ落ちることを防ぐことができる。
【００４５】
なお、図１３では、図１３に示す断面における架台被覆カバー１６の内壁部５の中央を覆う部分の高さが最も高い場合について説明したが、例えば架台被覆カバー１６の第２勾配部６に近い内壁部５の部位を覆う部分の高さが最も高くなっていても良い。あるいは架台被覆カバー１６の第１勾配部４に近い内壁部５の部位を覆う部分の高さが最も高くなっていても良い。これらの場合、架台被覆カバー１６の内壁部５を覆う部分から架台被覆カバー１６の第１勾配部４と第２勾配部６を覆う部分に流れる液体の量に差が出ることになる。前者の場合は、外壁部正面３を覆う架台被覆カバー１６の下端に沿うように設けられた吸収体１１の吸収能力の方が、外壁部背面７を覆う架台被覆カバー１６の下端に沿うように設けられた吸収体１１の吸収能力よりも高いことが好ましい。また、後者の場合は外壁部背面７を覆う架台被覆カバー１６の下端に沿うように設けられた吸収体１１の吸収能力の方が、外壁部正面３を覆う架台被覆カバー１６の下端に沿うように設けられた吸収体１１の吸収能力よりも高いことが好ましい。なお、吸収能力は、例えば吸収体１１の大きさや単位堆積あたりの吸収量に相当する。
【００４６】
上記の説明では、架台被覆カバー１６が、図に９おける点線Ｆを通りＹ−Ｚ平面に対して平行な面より下における外壁部正面３、第１勾配部４、内壁部５、第２勾配部６、外壁部背面７を覆うように設けられる場合について説明したが、架台被覆カバーで覆う部分がより限定的であっても良い。その場合、例えば図１４の架台１００および架台被覆カバー１６の正面図に示すように、点線Ｆを通りＹ−Ｚ平面に対して平行な面より下側、尚且つ、点線Ｉを通りＸ−Ｚ平面に対して平行な面と点線Ｊを通りＸ−Ｚ平面に対して平行な面で挟まれる範囲における外壁部正面３、第１勾配部４、内壁部５、第２勾配部６、外壁部背面７を覆うように架台被覆カバー１６を設ける。
【００４７】
あるいは、架台被覆カバー１６が覆う範囲が、上記の実施形態より大きくても当然良い。
【００４８】
なお、架台被覆カバー１６における吸収体１１は着脱可能であり、例えば手技単位で取り替える。また、吸収体１１以外の部位は撥水性を有するため、容易に洗浄が可能である。これによって、診断環境の清潔さを保つことができる。
【００４９】
あるいは、架台被覆カバー１６自体を例えば手技単位で取り替える。これによって、更に診断環境の清潔さを保つことができる。
【００５０】
上記の説明では、架台被覆カバー１６が単層構造である場合を示したが、積載構造でも良い。その場合、例えば上層に位置する架台被覆カバー１６から順に、手技単位で剥がされる。これによって、手技単位で架台被覆カバー１６を架台に設置する手間が省略される。
【００５１】
上記の説明では、Ｘ線ＣＴ装置用の架台被覆カバーについて説明したが、架台が磁気共鳴イメージング装置や核医学診断装置用の架台被覆カバーであっても良い。
【００５２】
以上、本発明の実施形態を説明したが、これらの実施形態は例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１・・・架台上部
２・・・架台下部
３・・・外壁部正面
４・・・第１勾配部
５・・・内壁部
６・・・第２勾配部
７・・・外壁部背面
８・・・外壁部側面
９・・・操作部
１０・・・流動抑制手段
１１・・・吸収体
１２・・・溝
１３・・・チューブ
１４・・・タンク
１５・・・突起部
１６・・・架台被覆カバー
１００・・・架台
２００・・・開口部
【図１】
2014183940.tif 000003
【図２】
2014183940.tif 000004
【図３】
2014183940.tif 000005
【図４】
2014183940.tif 000006
【図５】
2014183940.tif 000007
【図６】
2014183940.tif 000008
【図７】
2014183940.tif 000009
【図８】
2014183940.tif 000010
【図９】
2014183940.tif 000011
【図１０】
2014183940.tif 000012
【図１１】
2014183940.tif 000013
【図１２】
2014183940.tif 000014
【図１３】
2014183940.tif 000015
【図１４】
2014183940.tif 000016